【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
コンピュータ実行可能な方法であって、
名称によって内容を識別するコンテンツに対する要求を計算装置が受信する段階と、
前記コンテンツがローカルに利用可能であるかどうかを判定する段階と、
前記コンテンツがローカルに利用可能ではないことに応答して、コンテンツを記憶するリモートカストディアン装置のカストディアン識別子を識別する段階であって、該カストディアン識別子を識別することが、コンテンツ名称からカストディアン識別子へのマッピングを得るためのコンテンツ・プリフィックス対カストディアン検索を実行することを含み、前記カストディアン識別子は前記リモートカストディアン装置のネットークアドレスを識別しない、前記カストディアン識別子を識別する段階と、
前記リモートカストディアン装置の前記カストディアン識別子に対応する通信エンドポイントを識別する段階であって、該識別を介して、前記計算装置が前記コンテンツを得、前記通信エンドポインが、前記リモートカストディアン装置と関連付けられた複数の通信インターフェースの一つを識別する、前記通信エンドポイントを識別する段階と、
前記計算装置が、前記コンテンツ名称プリフィックスによって特定された名前空間にアクセスするための一つ以上の状態を満足することを検証する段階であって、前記名称空間がリモートカストディアン装置の通信エンドポイントに関連づけられている、前記検証する段階と、
前記リモートカストディアン装置の前記識別された通信エンドポイントにマッピングされたネットワークアドレスを判定する段階と、
要求されたコンテンツを取得するために、マッピングされたネットワークアドレスを使用して通信エンドポイントに対して接続を確立する段階と、を備える、コンピュータ実行可能な方法。
【請求項２】
前記計算装置及び前記リモートカストディアン装置が、コンテンツセントリックネットワーク（ＣＣＮ）を介して接続されている、請求項１記載の方法。
【請求項３】
コンテンツを記憶するリモートカストディアン装置のカストディアン識別子を識別する前記段階が、前記コンテンツ名称に基づいた検索を実行することを含む、請求項１記載の方法。
【請求項４】
さらに、コンテンツの名称と関連付けられたマッピング情報についてのＣＣＮインタレストを構成することを備える、請求項３記載の方法。
【請求項５】
コンテンツを記憶する前記リモートカストディアン装置のカストディアン識別子を識別する前記段階が、リモートカストディアン装置の優先レベルを判定することを含む、請求項１記載の方法。
【請求項６】
通信エンドポイントを識別する前記段階が、リモートカストディアン装置の名称に基づいて検索を実行することを含む、請求項１記載の方法。
【請求項７】
通信エンドポイントを識別する前記段階が、通信エンドポイントの優先レベルを判定することを含む、請求項１記載の方法。
【請求項８】
前記通信エンドポイントが、無線インターフェースであり、ネットワークアドレスが、
サービスセット識別子（ＳＳＩＤ）、
無線インターフェースと関連付けられたアクセスポイントのメディアアクセスコントロール（ＭＡＣ）アドレス、及び、
インターネットプロトコル（ＩＰ）アドレスのうちの少なくとも１つを含む、請求項１記載の方法。
【請求項９】
前記通信エンドポイントに対する接続が、セッション開始プロトコル（ＳＩＰ）接続を含む、請求項１記載の方法。
【請求項１０】
コンピュータによって実行されたときに、コンピュータに方法を実行させる命令を記憶する持続性コンピュータ読み取り可能な記憶媒体であって、前記方法が、
名称によって内容を識別するコンテンツに対する要求を計算装置が受信する段階と、
前記コンテンツがローカルに利用可能であるかどうかを判定する段階と、
前記コンテンツがローカルに利用可能ではないことに応答して、コンテンツを記憶するリモートカストディアン装置のカストディアン識別子を識別する段階であって、該カストディアン識別子を識別することが、コンテンツ名称からカストディアン識別子へのマッピングを得るためのコンテンツ・プリフィックス対カストディアン検索を実行することを含み、前記カストディアン識別子は前記リモートカストディアン装置のネットークアドレスを識別しない、前記カストディアン識別子を識別する段階と、
前記リモートカストディアン装置の前記カストディアン識別子に対応する通信エンドポイントを識別する段階であって、該識別を介して、前記計算装置が前記コンテンツを得、前記通信エンドポインが、前記リモートカストディアン装置と関連付けられた複数の通信インターフェースの一つを識別する、前記通信エンドポイントを識別する段階と、
前記計算装置が、前記コンテンツ名称プリフィックスによって特定された名前空間にアクセスするための一つ以上の状態を満足することを検証する段階であって、前記名称空間がリモートカストディアン装置の通信エンドポイントに関連づけられている、前記検証する段階と、
前記リモートカストディアン装置の前記識別された通信エンドポイントにマッピングされたネットワークアドレスを判定する段階と、
要求されたコンテンツを取得するために、マッピングされたネットワークアドレスを使用して通信エンドポイントに対して接続を確立する段階と、を備える、
コンピュータ読み取り可能な記憶媒体。
【請求項１１】
前記計算装置及び前記リモートカストディアン装置が、コンテンツセントリックネットワーク（ＣＣＮ）を介して接続されている、請求項１０記載のコンピュータ読み取り可能な記憶媒体。
【請求項１２】
コンテンツを記憶するリモートカストディアン装置のカストディアン識別子を識別する前記段階が、前記コンテンツ名称に基づいた検索を実行することを含む、請求項１１記載のコンピュータ読み取り可能な記憶媒体。
【請求項１３】
さらに、コンテンツの名称と関連付けられたマッピング情報についてのＣＣＮインタレストを構成することを備える、請求項１２記載のコンピュータ読み取り可能な記憶媒体。
【請求項１４】
コンテンツを記憶する前記リモートカストディアン装置のカストディアン識別子を識別する前記段階が、リモートカストディアン装置の優先レベルを判定することを含む、請求項１０記載のコンピュータ読み取り可能な記憶媒体。
【請求項１５】
通信エンドポイントを識別する前記段階が、リモートカストディアン装置の名称に基づいて検索を実行することを含む、請求項１０記載のコンピュータ読み取り可能な記憶媒体。
【請求項１６】
通信エンドポイントを識別する前記段階が、通信エンドポイントの優先レベルを判定することを含む、請求項１０記載のコンピュータ読み取り可能な記憶媒体。
【請求項１７】
前記通信エンドポイントが、無線インターフェースであり、ネットワークアドレスが、
サービスセット識別子（ＳＳＩＤ）、
無線インターフェースと関連付けられたアクセスポイントのメディアアクセスコントロール（ＭＡＣ）アドレス、及び、
インターネットプロトコル（ＩＰ）アドレスのうちの少なくとも１つを含む、請求項１０記載のコンピュータ読み取り可能な記憶媒体。
【請求項１８】
前記通信エンドポイントに対する接続が、セッション開始プロトコル（ＳＩＰ）接続を含む、請求項１０記載のコンピュータ読み取り可能な記憶媒体。
【請求項１９】
計算装置であって、
名称によって内容を識別するコンテンツに対する要求を計算装置が受信するように構成された受信機構と、
前記コンテンツがローカルに利用可能であるかどうかを判定するように構成された判定機構と、
前記コンテンツがローカルに利用可能ではないことに応答するルーティングエージェントであって、
コンテンツを記憶するリモートカストディアン装置のカストディアン識別子を識別し、該カストディアン識別子を識別することが、コンテンツ名称からカストディアン識別子へのマッピングを得るためのコンテンツ・プリフィックス対カストディアン検索を実行することを含み、前記カストディアン識別子は前記リモートカストディアン装置のネットークアドレスを識別せず、
前記リモートカストディアン装置の前記カストディアン識別子に対応する通信エンドポイントを識別し、該識別を介して、前記計算装置が前記コンテンツを得、前記通信エンドポインが、前記リモートカストディアン装置と関連付けられた複数の通信インターフェースの一つを識別し、
前記計算装置が、前記コンテンツ名称プリフィックスによって特定された名前空間にアクセスするための一つ以上の状態を満足することを検証し、前記名称空間がリモートカストディアン装置の通信エンドポイントに関連づけられており、
前記リモートカストディアン装置の前記識別された通信エンドポイントにマッピングされたネットワークアドレスを判定するように構成された、前記ルーティングエージェントと、
要求されたコンテンツを取得するために、マッピングされたネットワークアドレスを使用して通信エンドポイントに対して接続を確立するように構成された接続機構と、を備える、
計算装置。
【請求項２０】
前記計算装置及び前記リモートカストディアン装置が、コンテンツセントリックネットワーク（ＣＣＮ）を介して接続されている、請求項１９記載の計算装置。
【請求項２１】
前記コンテンツを記憶する前記リモートカストディアン装置のカストディアン識別子を識別することが、前記コンテンツ名称に基づいた検索を実行することを含む、請求項２０記載の計算装置。
【請求項２２】
さらに、コンテンツの名称と関連付けられたマッピング情報についてのＣＣＮインタレストを構成するように構成されたインタレスト構成機構を備える、請求項２１記載の計算装置。
【請求項２３】
前記コンテンツを記憶する前記リモートカストディアン装置のカストディアン識別子を識別することが、リモートカストディアン装置の優先レベルを判定することを含む、請求項１９記載の計算装置。
【請求項２４】
前記通信エンドポイントが、無線インターフェースであり、ネットワークアドレスが、
サービスセット識別子（ＳＳＩＤ）、
無線インターフェースと関連付けられたアクセスポイントのメディアアクセスコントロール（ＭＡＣ）アドレス、及び、
インターネットプロトコル（ＩＰ）アドレスのうちの少なくとも１つを含む、請求項１９記載の計算装置。
【請求項２５】
前記通信エンドポイントに対する接続が、セッション開始プロトコル（ＳＩＰ）接続を含む、請求項１９記載の計算装置。